(57)【要約】【課題】  出力するサラウンド信号の数が多い場合でも、無相関のディザ信号の組み合わせが容易で、かつ、小規模の回路構成により実現可能とする。【解決手段】  音声処理ユニット１０のＤＳＰ１１は、信号割付決定部１００により、５つのサラウンド信号Ｌ，Ｒ，Ｃ，ＬＳ，ＲＳおよび２つのステレオ信号ＳＴ−Ｌ，ＳＴ−Ｒに対して付加するディザ信号の割付を決定する。ＤＳＰ１１は、決定したディザ信号割付を実現するように、デジタルオーディオ信号取得部１１０およびディザ信号発生器１０１〜１０３を起動して、入力信号から出力用のオーディオ信号を生成すると共に重畳するディザ信号を発生させ、加算器１２０の動作を制御して、各ディザ信号を重畳先のオーディオ信号に加算する。ディザ信号付きのオーディオ信号は、サラウンド信号出力部１３１とステレオ信号出力部１３２からスピーカシステムに出力される。【選択図】  図１
2006094131.tif 000002
【特許請求の範囲】
【請求項１】
前後左右を持つ音場空間を構成するための複数のオーディオ信号を出力するデジタルオーディオ信号処理装置において、
複数のディザ信号の各重畳先となるオーディオ信号を前記複数のオーディオ信号の中から選択し、各オーディオ信号に対して付加するディザ信号の割付を決定する信号割付決定手段と、
前記複数のオーディオ信号を取得する信号取得手段と、
前記複数のディザ信号を発生する複数の信号発生手段と、
前記複数のディザ信号を各重畳先のオーディオ信号に加算する信号加算手段と、
前記ディザ信号の加算されたオーディオ信号を出力する信号出力手段を備え、
前記信号割付決定手段は、第１のディザ信号の重畳先として、前記音場空間における再生位置が前方左側のオーディオ信号と後方右側のオーディオ信号を選択し、第２のディザ信号の重畳先として、音場空間における再生位置が前方右側のオーディオ信号と後方左側のオーディオ信号を選択するように構成される
ことを特徴とするデジタルオーディオ信号処理装置。
【請求項２】
前記複数のオーディオ信号は、前記音場空間における再生位置が前方の左右それぞれであるサラウンド信号Ｌ，Ｒと、音場空間における再生位置が後方の左右それぞれであるサラウンド信号ＬＳ，ＲＳと、音場空間における再生位置が左右それぞれであるステレオ信号ＳＴ−Ｌ，ＳＴ−Ｒを含み、
前記信号割付決定手段は、
前記サラウンド信号を出力する場合に、第１のディザ信号の重畳先として、前方左側および後方右側のサラウンド信号Ｌ，ＲＳを選択し、第２のディザ信号の重畳先として、前方右側および後方左側のサラウンド信号Ｒ，ＬＳを選択し、
前記ステレオ信号を出力する場合に、第１のディザ信号の重畳先として、左側のステレオ信号ＳＴ−Ｌを選択し、第２のディザ信号の重畳先として、右側のステレオ信号ＳＴ−Ｒを選択するように構成される
ことを特徴とする請求項１に記載のデジタルオーディオ信号処理装置。
【請求項３】
前後左右を持つ音場空間を構成するための複数のオーディオ信号を出力するデジタルオーディオ信号処理方法において、
信号割付決定手段により、複数のディザ信号の各重畳先となるオーディオ信号を前記複数のオーディオ信号の中から選択し、各オーディオ信号に対して付加するディザ信号の割付を決定する信号割付決定ステップと、
信号取得手段により、前記複数のオーディオ信号を取得する信号取得ステップと、
複数の信号発生手段により、前記複数のディザ信号を発生する信号発生ステップと、
信号加算手段により、前記複数のディザ信号を各重畳先のオーディオ信号に加算する信号加算ステップと、
信号出力手段により、前記ディザ信号の加算されたオーディオ信号を出力する信号出力ステップを有し、
前記信号割付決定ステップは、第１のディザ信号の重畳先として、前記音場空間における再生位置が前方左側のオーディオ信号と後方右側のオーディオ信号を選択し、第２のディザ信号の重畳先として、音場空間における再生位置が前方右側のオーディオ信号と後方左側のオーディオ信号を選択するステップを含む
ことを特徴とするデジタルオーディオ信号処理方法。
【請求項４】
前記複数のオーディオ信号は、前記音場空間における再生位置が前方の左右それぞれであるサラウンド信号Ｌ，Ｒと、音場空間における再生位置が後方の左右それぞれであるサラウンド信号ＬＳ，ＲＳと、音場空間における再生位置が左右それぞれであるステレオ信号ＳＴ−Ｌ，ＳＴ−Ｒを含み、
前記信号割付決定ステップは、
前記サラウンド信号を出力する場合に、第１のディザ信号の重畳先として、前方左側および後方右側のサラウンド信号Ｌ，ＲＳを選択し、第２のディザ信号の重畳先として、前方右側および後方左側のサラウンド信号Ｒ，ＬＳを選択するステップと、
前記ステレオ信号を出力する場合に、第１のディザ信号の重畳先として、左側のステレオ信号ＳＴ−Ｌを選択し、第２のディザ信号の重畳先として、右側のステレオ信号ＳＴ−Ｒを選択するステップを含む
ことを特徴とする請求項３に記載のデジタルオーディオ信号処理方法。
【発明の詳細な説明】
【技術分野】
【０００１】
本発明は、前後左右を持つ音場空間を構成するための複数のオーディオ信号を出力するデジタルオーディオ信号処理技術に関するものであり、特に、複数のディザ信号を発生させてサラウンド信号に付加する技術に関するものである。
【背景技術】
【０００２】
従来、左右のステレオ用スピーカから再生させるステレオ信号に対して、Ｄ／Ａ変換時に発生する量子化ひずみを低減するために、疑似ランダム関数などを用いた「ディザ信号」と呼ばれるノイズを付加する手法が提案されている。
【０００３】
このように、ステレオ信号にディザ信号を付加する場合に、左右のステレオ信号に同じディザ信号を付加すると、人間の聴覚特性により、その左右のステレオ信号が再生された場合に、ディザ信号が仮想センター部分に定位されて音質上好ましくないため、左右のステレオ信号に無相関なディザ信号を付加して聴覚的なノイズの広がりを確保するようにしている。
【０００４】
一方、近年の傾向として、音場空間を構成するために、左右のステレオ用スピーカに加えて、複数のサラウンド用スピーカを配置するケースが多くなっている。このようなサラウンド用スピーカから再生させるサラウンド信号に関しても、ステレオ信号と同様に、各出力に無相関なディザ信号を付加することが音質上好ましいことは容易に想像される。
【特許文献１】特開２００２−３６６１７８
【発明の開示】
【発明が解決しようとする課題】
【０００５】
しかしながら、上記のようなステレオ信号にディザ信号を付加する従来のデジタルオーディオ信号処理装置をサラウンド信号に適用した場合には、個々のサラウンド信号ごとに無相関のディザ信号を付加することになるため、出力するサラウンド信号が多くなるほど、また、無相関とする時間が長くなるほど、重畳する無相関のディザ信号の組み合わせが難しくなる。また、出力の数に応じた数のディザ信号発生回路が必要となり、回路規模が大きくなってしまう。
【０００６】
本発明は、上記のような従来技術の問題点を解決するために提案されたものであり、その目的は、出力するサラウンド信号の数が多い場合でも、無相関のディザ信号の組み合わせが容易で、かつ、小規模の回路構成により実現可能な、実用性の高いデジタルオーディオ信号処理装置と方法を提供することである。
【課題を解決するための手段】
【０００７】
本発明は、上記目的を達成するために、人間の聴覚特性に基づいて、特定の再生位置関係にある複数のオーディオ信号に対して同一のディザ信号を付加させることにより、信号再生時における聴覚的なノイズの広がりを確保しながら、しかも、発生させるディザ信号を少なくして、サラウンド信号の数が多い場合でも、無相関のディザ信号の組み合わせが容易で、かつ、小規模の回路構成により実現できるようにしたものである。
【０００８】
請求項１の発明は、前後左右を持つ音場空間を構成するための複数のオーディオ信号を出力するデジタルオーディオ信号処理装置において、複数のディザ信号の各重畳先となるオーディオ信号を複数のオーディオ信号の中から選択し、各オーディオ信号に対して付加するディザ信号の割付を決定する信号割付決定手段と、複数のオーディオ信号を取得する信号取得手段と、複数のディザ信号を発生する複数の信号発生手段と、複数のディザ信号を各重畳先のオーディオ信号に加算する信号加算手段と、ディザ信号の加算されたオーディオ信号を出力する信号出力手段を備え、信号割付決定手段が次のように構成されることを特徴としている。
【０００９】
すなわち、信号割付決定手段は、第１のディザ信号の重畳先として、音場空間における再生位置が前方左側のオーディオ信号と後方右側のオーディオ信号を選択し、第２のディザ信号の重畳先として、音場空間における再生位置が前方右側のオーディオ信号と後方左側のオーディオ信号を選択するように構成される。
【００１０】
請求項３の発明は、請求項１の発明を方法の観点から把握したものであり、前後左右を持つ音場空間を構成するための複数のサラウンド信号を出力するデジタルオーディオ信号処理方法において、請求項１の発明における各手段の機能に対応する信号割付決定ステップ、信号取得ステップ、信号発生ステップ、信号加算ステップ、および信号出力ステップを有することを特徴としている。
【００１１】
以上のような発明によれば、出力されたオーディオ信号を再生するスピーカシステムにおいて、同じディザ信号を付加した複数のオーディオ信号を再生させることができる。すなわち、音場空間の前方左側のスピーカと後方右側のスピーカから第１のディザ信号を付加したオーディオ信号を再生させ、音場空間の前方右側のスピーカと後方左側のスピーカから第２のディザ信号を付加したオーディオ信号を再生させることができる。そのため、オーディオ信号の再生時における聴覚的なノイズの広がりを確保しながら、しかも、発生させるディザ信号を少なくすることができる。
【００１２】
すなわち、人間の聴覚特性として、前後間の音源定位は曖昧であるため、音場空間における前方の左右片側と、後方の左右反対側という位置関係にある複数のスピーカから同一のディザ信号を出力した場合には、ディザ信号がセンター部分に定位されることはなく、聴覚的なノイズの広がりは確保される。そして、前方と後方のそれぞれにおいて左右から再生させる計４つ以上のオーディオ信号に対して、２種類のディザ信号だけを発生させればよいため、発生させるディザ信号を少なくすることができる。
【００１３】
請求項２の発明は、請求項１のデジタルオーディオ信号処理装置において、複数のオーディオ信号が、音場空間における再生位置が前方の左右それぞれであるサラウンド信号Ｌ，Ｒと、音場空間における再生位置が後方の左右それぞれであるサラウンド信号ＬＳ，ＲＳと、音場空間における再生位置が左右それぞれであるステレオ信号ＳＴ−Ｌ，ＳＴ−Ｒを含み、信号割付決定手段が次のように構成されることを特徴としている。
【００１４】
すなわち、信号割付決定手段は、サラウンド信号を出力する場合に、第１のディザ信号の重畳先として、前方左側および後方右側のサラウンド信号Ｌ，ＲＳを選択し、第２のディザ信号の重畳先として、前方右側および後方左側のサラウンド信号Ｒ，ＬＳを選択し、ステレオ信号を出力する場合に、第１のディザ信号の重畳先として、左側のステレオ信号ＳＴ−Ｌを選択し、第２のディザ信号の重畳先として、右側のステレオ信号ＳＴ−Ｒを選択するように構成される。
【００１５】
請求項４の発明は、請求項２の発明を方法の観点から把握したものであり、請求項３のデジタルオーディオ信号処理方法において、請求項２の発明における信号割付決定手段の機能に対応する信号割付決定ステップを有することを特徴としている。
【００１６】
以上のような発明によれば、出力されたサラウンド信号またはステレオ信号を再生するスピーカシステムにおいて、前方左側と後方右側のサラウンド信号Ｌ，ＲＳ、および左側のステレオ信号ＳＴ−Ｌを、第１のディザ信号が付加された信号として再生させ、前方右側と後方左側のサラウンド信号Ｒ，ＬＳ、および右側のステレオ信号ＳＴ−Ｒを、第２のディザ信号が付加された信号として再生させることができる。そのため、サラウンド再生時とステレオ再生時の両方における聴覚的なノイズの広がりを確保しながら、しかも、発生させるディザ信号を少なくすることができる。
【００１７】
この場合、計６つのオーディオ信号に対して、２種類のディザ信号だけを発生させればよいため、オーディオ信号の数に対して発生させるディザ信号を少なくすることができる。また、サラウンド信号とステレオ信号を同時に出力する場合において、一つのスピーカシステムにおけるサラウンド再生時に別のスピーカシステムによりステレオ再生が同時に行われるという同時性は存在するが、単体のスピーカシステムによりサラウンド再生とステレオ再生を同時に行うという使用法は考えられないので、左右同じ側のサラウンド信号とステレオ信号に付加するディザ信号を同一としても不都合はない。
【発明の効果】
【００１８】
以上のように、本発明によれば、人間の聴覚特性に基づいて、特定の再生位置関係にある複数のオーディオ信号に対して同一のディザ信号を付加させることにより、信号再生時における聴覚的なノイズの広がりを確保しながら、しかも、発生させるディザ信号を少なくすることができる。したがって、サラウンド信号の数が多い場合でも、無相関のディザ信号の組み合わせが容易で、かつ、小規模の回路構成により実現可能な、実用性の高いデジタルオーディオ信号処理装置と方法を提供することができる。
【発明を実施するための最良の形態】
【００１９】
以下には、本発明を実施するための最良の形態（以下「実施形態」と呼ぶ）について図面を参照して説明する。
【００２０】
〔１．構成〕
図１は、本発明を適用した１つの実施形態に係るデジタルオーディオ信号処理装置を示す構成図である。
【００２１】
この図１に示すように、本実施形態のデジタルオーディオ信号処理装置は、音声処理ユニット１０から構成されている。
【００２２】
音声処理ユニット１０は、デジタルシグナルプロセッサ（以下には、ＤＳＰと略称する）１１を備えている。ＤＳＰ１１はまず、複数のディザ信号の各重畳先となるオーディオ信号を選択し、各オーディオ信号に対して付加するディザ信号の割付を決定する信号割付決定部１００を含む。このＤＳＰ１１はまた、入力信号に対してレベル変更やイコライジング等の加工を行い、出力用のオーディオ信号であるサラウンド信号およびステレオ信号を生成するデジタルオーディオ信号取得部１１０と、互いに異なるディザ信号Ｄａ〜Ｄｃを発生する３つのディザ信号発生器１０１〜１０３と、ディザ信号を重畳先のオーディオ信号に加算する加算器１２０を含む。
【００２３】
ＤＳＰ１１はまた、加算器１２０で得られたディザ信号付きのサラウンド信号およびステレオ信号を、再生側のスピーカシステムに出力するサラウンド信号出力部１３１とステレオ信号出力部１３２を備えている。なお、音声処理ユニット１０からのオーディオ信号は、音声処理ユニット１０に直接接続されたスピーカシステムに出力してもよいが、外部のオーディオ信号再生機器に送信してもよい。
【００２４】
図２は、図１のデジタルオーディオ信号処理装置によるディザ信号付きのオーディオ信号を再生するスピーカシステムの配置と各スピーカから再生させるオーディオ信号およびそれに付加されるディザ信号の種別を示す図である。この図２に示すように、スピーカシステムは、５つのサラウンド信号Ｌ，Ｒ，Ｃ，ＬＳ，ＲＳをそれぞれ再生させるサラウンド用スピーカ２０１〜２０５と、２つのステレオ信号ＳＴ−Ｌ，ＳＴ−Ｒをそれぞれ再生させるステレオ用スピーカ２１１，２１２、という計７つのスピーカ２０１〜２０５，２１１，２１２から構成されている。
【００２５】
すなわち、前後左右を持つ音場空間の前方には、左右のステレオ信号ＳＴ−Ｌ，ＳＴ−Ｒをそれぞれ再生させるステレオ用スピーカ２１１，２１２と、前方左右および前方中央のサラウンド信号Ｌ，Ｒ，Ｃをそれぞれ再生させるサラウンド用スピーカ２０１〜２０３が配置され、音場空間の後方には、後方左右のサラウンド信号ＬＳ，ＲＳをそれぞれ再生させるサラウンド用スピーカ２０４，２０５が配置されている。なお、図２の中央に示すＰ点は、ユーザの聴取位置を示している。
【００２６】
〔２．動作〕
図３は、以上のような構成を有する本実施形態のデジタルオーディオ信号処理装置の動作を示すフローチャートである。
【００２７】
この図３に示すように、音声処理ユニット１０において、ＤＳＰ１１は、信号割付決定部１００により、ディザ信号の各重畳先となるオーディオ信号を５つのサラウンド信号Ｌ，Ｒ，Ｃ，ＬＳ，ＲＳおよび２つのステレオ信号ＳＴ−Ｌ，ＳＴ−Ｒの中から選択し、各オーディオ信号に対して付加するディザ信号の割付を決定する（Ｓ１０）。
【００２８】
すなわち、信号割付決定部１００は、５つのサラウンド信号Ｌ，Ｒ，Ｃ，ＬＳ，ＲＳについては、第１のディザ信号Ｄａの重畳先として、前方左側および後方右側のサラウンド用スピーカＬ，ＲＳを選択し、第２のディザ信号Ｄｂの重畳先として、前方右側および後方左側のサラウンド用スピーカＲ，ＬＳを選択し、第３のディザ信号Ｄｃの重畳先として、前方中央のサラウンド用スピーカＣを選択する。信号割付決定部１００はまた、２つのステレオ信号ＳＴ−Ｌ，ＳＴ−Ｒについては、第１のディザ信号Ｄａの重畳先として、左側のステレオ用スピーカＳＴ−Ｌを選択し、第２のディザ信号Ｄｂの重畳先として、右側のステレオ用スピーカＳＴ−Ｒを選択する。
【００２９】
このようなディザ信号割付は、図１および図２に示すような、ディザ信号とその重畳先のオーディオ信号の固定的な組み合わせ「（Ｄａ→Ｌ，ＲＳ，ＳＴ−Ｌ），（Ｄｂ→Ｒ，ＬＳ，ＳＴ−Ｒ），（Ｄｃ→Ｃ）」として予め設定してもよいし、３種類のディザ信号Ｄａ〜Ｄｃを変数とするアルゴリズム等により、オーディオ信号を出力する毎に第１〜第３のディザ信号を選択してもよい。
【００３０】
このように、ディザ信号割付を決定した後、ＤＳＰ１１は、決定したディザ信号割付を実現するように、デジタルオーディオ信号取得部１１０およびディザ信号発生器１０１〜１０３を起動して、入力信号から出力用のオーディオ信号を生成すると共に重畳するディザ信号を発生させ（Ｓ２０）、加算器１２０の動作を制御して、各ディザ信号を重畳先のオーディオ信号に加算する（Ｓ３０）。
【００３１】
このようにディザ信号が加算されたオーディオ信号のうち、サラウンド信号はサラウンド信号出力部１３１により、また、ステレオ信号はステレオ信号出力部１３２により、図２のスピーカシステムにそれぞれ出力される（Ｓ４０）。
【００３２】
〔３．効果〕
以上のような本実施形態によれば、次のような効果が得られる。
【００３３】
まず、図１に示すデジタルオーディオ信号処理装置から出力されたオーディオ信号を再生する図２のスピーカシステムにおいて、サラウンド再生時には、同じディザ信号を付加した複数のサラウンド信号を再生させることができる。すなわち、音場空間の前方左側のサラウンド用スピーカ２０１と後方右側のサラウンド用スピーカ２０５から第１のディザ信号Ｄａを付加したサラウンド信号Ｌ，ＲＳを再生させ、音場空間の前方右側のサラウンド用スピーカ２０２と後方左側のサラウンド用スピーカ２０４から第２のディザ信号Ｄｂを付加したサラウンド信号Ｌ，ＲＳを再生させることができる。そのため、スピーカシステム側でのサラウンド再生時における聴覚的なノイズの広がりを確保しながら、しかも、デジタルオーディオ信号処理装置側で発生させるディザ信号を少なくすることができる。
【００３４】
すなわち、人間の聴覚特性として、前後間の音源定位は曖昧であるため、音場空間における前方の左右片側と、後方の左右反対側という位置関係にある複数のスピーカから同一のディザ信号を出力した場合には、ディザ信号がセンター部分に定位されることはなく、音場空間の聴取位置Ｐでの聴覚的なノイズの広がりは確保される。そして、デジタルオーディオ信号処理装置側では、前方と後方のそれぞれにおいて左右から再生させる計４つのサラウンド信号Ｌ，Ｒ，ＬＳ，ＲＳに対して、２種類のディザ信号Ｄａ，Ｄｂだけを発生させればよいため、これに前方中央のサラウンド信号Ｃに重畳させるディザ信号Ｄｃを加えた計３種類のディザ信号Ｄａ〜Ｄｃを発生させるだけで、５つのサラウンド信号の全てにディザ信号を重畳させることができる。
【００３５】
さらに、図２のスピーカシステムにおいて、ステレオ再生時には、サラウンド信号再生時と同じディザ信号を付加した左右のステレオ信号を再生させることができる。すなわち、左側のステレオ用スピーカ２１１からサラウンド信号Ｌ，ＲＳと同じ第１のディザ信号Ｄａを付加したステレオ信号ＳＴ−Ｌを再生させると共に、右側のステレオ用スピーカ２１２からサラウンド信号Ｒ，ＬＳと同じ第２のディザ信号Ｄｂを付加したステレオ信号ＳＴ−Ｒを再生させることができる。そのため、スピーカシステム側でのサラウンド再生時とステレオ再生時の両方における聴覚的なノイズの広がりを確保しながら、しかも、デジタルオーディオ信号処理装置側で発生させるディザ信号を少なくすることができる。
【００３６】
この場合、デジタルオーディオ信号処理装置側では、計６つのオーディオ信号に対して、２種類のディザ信号Ｄａ，Ｄｂだけを発生させればよいため、オーディオ信号の数に対して発生させるディザ信号をさらに少なくすることができる。また、オーディオ信号を複数のスピーカシステムに対して出力する場合、あるいは、単数または複数の外部オーディオ信号再生機器に送信する場合に、一つのスピーカシステムにおけるサラウンド再生時に別のスピーカシステムによりステレオ再生が同時に行われるという同時性は存在するが、単体のスピーカシステムによりサラウンド再生とステレオ再生を同時に行うという使用法は考えられないので、左右同じ側のサラウンド信号とステレオ信号に付加するディザ信号を同一としても不都合はない。
【００３７】
以上のように、本実施形態においては、特定の再生位置関係にある複数のオーディオ信号に対して同一のディザ信号を付加させることにより、信号再生時における聴覚的なノイズの広がりを確保して高い音質を維持しながら、しかも、発生させるディザ信号を３種類のみと少なくすることができる。したがって、サラウンド信号の数が多い場合でも、無相関のディザ信号の組み合わせが容易で、ディザ信号発生用の構成を簡略化でき、かつ、音声処理ユニット１０を小規模の回路構成により実現することができる。
【００３８】
〔４．他の実施形態〕
なお、本発明は、前述した各実施形態に限定されるものではなく、本発明の範囲内で他にも多種多様な変形例が実施可能である。例えば、前記実施形態においては、ディザ信号ごとにディザ信号発生器を設けたが、単一のノイズ発生源で発生させたノイズを複数のディザ信号発生器で加工して複数のディザ信号を生成するように構成してもよい。
【００３９】
また、前記実施形態においては、外部からの入力信号を加工してオーディオ信号を生成する場合について説明したが、外部からの入力信号を加工する必要がない場合には、その入力信号をオーディオ信号としてそのまま用いてディザ信号を重畳してもよい。この場合に、信号取得手段の機能は、外部からのオーディオ信号を入力する機能のみとなる。
【００４０】
また、前記実施形態においては、５つのサラウンド信号と左右のステレオ信号という計７つのオーディオ信号を出力する場合について説明したが、本発明は、少なくとも、音場空間における前方と後方の左右それぞれを再生位置とする計４つ以上のサラウンド信号を含むオーディオ信号を出力する限り、多様な構成のデジタルオーディオ信号処理装置に対して同様に適用可能であり、同様に優れた効果が得られるものである。
【００４１】
さらに、本発明における装置構成やその具体的な動作は、出力するオーディオ信号の組み合わせや用途に応じて自由に変更可能である。例えば、前記実施形態においては、サラウンド信号とステレオ信号を同時に出力する動作についてのみ説明したが、実際の用途においては、サラウンド信号のみ、あるいはステレオ信号のみを出力する動作を行うこともある。また、出力可能な多数のサラウンド信号の中から、選択された一部のサラウンド信号のみを出力するようにしてもよい。なお、ステレオ信号は、サラウンド信号からダウンミックスして生成される場合もあるが、前述の同時性の可能性により問題なく使用できる。
【００４２】
また、前記実施形態においては、本発明のデジタルオーディオ信号処理装置に直接接続したスピーカシステムに対してオーディオ信号を出力する場合について説明したが、本発明では、オーディオ信号を無線送信して特定または不特定多数の外部オーディオ信号再生機器で受信、再生させることも可能であり、その場合にも同様に優れた効果が得られるものである。
【図面の簡単な説明】
【００４３】
【図１】本発明を適用した１つの実施形態に係るデジタルオーディオ信号処理装置を示す構成図。
【図２】図１に示すデジタルオーディオ信号処理装置によるディザ信号付きのオーディオ信号を再生するスピーカシステムの配置と各スピーカから再生させるオーディオ信号およびそれに付加されるディザ信号の種別を示す図。
【図３】図１に示すデジタルオーディオ信号処理装置の動作を示すフローチャート。
【符号の説明】
【００４４】
１０…音声処理ユニット
１１…デジタルシグナルプロセッサ（ＤＳＰ）
１００…信号割付決定部
１０１〜１０３…ディザ信号発生器
１１０…デジタルオーディオ信号取得部
１２０…加算器
１３１…サラウンド信号出力部
１３２…ステレオ信号出力部
２０１〜２０５…サラウンド用スピーカ
２１１，２１２…ステレオ用スピーカ
Ｄａ〜Ｄｃ…ディザ信号
Ｌ，Ｒ，Ｃ，ＬＳ，ＲＳ…サラウンド信号
ＳＴ−Ｌ，ＳＴ−Ｒ…ステレオ信号
【図１】
2006094131.tif 000003
【図２】
2006094131.tif 000004
【図３】
2006094131.tif 000005